(57)【要約】      （修正有）【課題】落雪防止体を屋根材の軒先側上面に取付金具体により配置固定し、屋根材上の積雪や落雪の滑落を防止することができ、落雪防止体及び取付金具体を個別に取り扱うことがなく、保管並びに運搬を容易に行うことができる落雪防止具を提供する。【解決手段】建物の屋根材Ｍの軒先側上面下に、取付金具６により落雪防止体１を取り付け、載置する。取付金具体は落雪防止体に一体的に形成され、かつ、取付金具体は、落雪防止体に一体に形成される構成部７、屋根材に固定される取付部８及び落雪防止体を屋根勾配方向に移動調節可能な位置調節機構６を備えてなる。【選択図】図１
0003146840.tif 000002
【実用新案登録請求の範囲】
【請求項１】
建物の屋根材の軒先側上面に載置可能な落雪防止体と、該落雪防止体を屋根材に取り付けるための取付金具体とからなり、上記取付金具体は上記落雪防止体に一体的に形成され、かつ、該取付金具体は、該落雪防止体に一体に形成される構成部、上記屋根材に固定される取付部及び該落雪防止体を屋根勾配方向に移動調節可能な位置調節機構を備えてなることを特徴とする屋根用落雪防止具。
【請求項２】
上記位置調節機構は、上記落雪防止体に形成されたガイド部材と、上記取付部に設けられ、該ガイド部材に対して屋根勾配方向に移動調節自在な移動部材と、該ガイド部材及び該移動部材を固定可能な固定機構とからなることを特徴とする請求項１記載の屋根用落雪防止具。
【請求項３】
上記固定機構はねじ機構からなることを特徴とする請求項２記載の屋根用落雪防止具。
【請求項４】
上記取付部は屋根材の折込部の上面及び底面を挟着可能な挟着機構からなることを特徴とする請求項１〜３のいずれか１項に記載の屋根用落雪防止具。
【請求項５】
上記落雪防止体に落雪を止めるための雪止め部が突設され、該雪止め部に落雪の融雪水が通過可能な網状体を配設してなることを特徴とする請求項１〜４のいずれか１項に記載の屋根用落雪防止具。
【請求項６】
上記該落雪防止体の軒先側に屋根の軒先部に嵌合可能な掛止部をもつ掛止部材を設けてなることを特徴とする請求項１〜５のいずれか１項に記載の屋根用落雪防止具。
【考案の詳細な説明】
【技術分野】
【０００１】
本考案は例えば建物の屋根材の軒先側の上面に載置して用いられる屋根用落雪防止具に関するものである。
【背景技術】
【０００２】
従来、この種屋根用落雪防止具として、建物の屋根材の軒先側上面に載置可能な落雪防止体と、該落雪防止体を屋根材に取り付けるための別体の取付金具体とからなる構造のものが知られている。
【特許文献１】特開平５−２０２５９０号公報
【考案の開示】
【考案が解決しようとする課題】
【０００３】
しかしながらこれら従来構造の場合、上記落雪防止体と取付金具体とは別体構造となっており、このため、落雪防止体に取付金具体を取り付け、取付金具体を屋根材に取り付ける作業が必要となり、設置のための作業能率が低下することになるという不都合を有している。
【課題を解決するための手段】
【０００４】
本考案はこれらの不都合を解決することを目的とするもので、本考案のうちで、請求項１記載の考案は、建物の屋根材の軒先側上面に載置可能な落雪防止体と、該落雪防止体を屋根材に取り付けるための取付金具体とからなり、上記取付金具体は上記落雪防止体に一体的に形成され、かつ、該取付金具体は、該落雪防止体に一体に形成される構成部、上記屋根材に固定される取付部及び該落雪防止体を屋根勾配方向に移動調節可能な位置調節機構を備えてなることを特徴とする屋根用落雪防止具にある。
【０００５】
又、請求項２記載の考案は、上記位置調節機構は、上記落雪防止体に形成されたガイド部材と、上記取付部に設けられ、該ガイド部材に対して屋根勾配方向に移動調節自在な移動部材と、該ガイド部材及び該移動部材を固定可能な固定機構とからなることを特徴とするものであり、又、請求項３記載の考案は、上記固定機構はねじ機構からなることを特徴とするものであり、又、請求項４記載の考案は、上記取付部は屋根材の折込部の上面及び底面を挟着可能な挟着機構からなることを特徴とするものであり、又、請求項５記載の考案は、上記落雪防止体に落雪を止めるための雪止め部が突設され、該雪止め部に落雪の融雪水が通過可能な網状体を配設してなることを特徴とするものであり、又、請求項６記載の考案は、上記該落雪防止体の軒先側に屋根の軒先部に嵌合可能な掛止部をもつ掛止部材を設けてなることを特徴とするものである。
【考案の効果】
【０００６】
本考案は上述の如く、請求項１記載の考案にあっては、落雪防止体を屋根材の軒先側上面に取付金具体により配置固定し、積雪は落雪防止体により止まることになり、このため、屋根材上の積雪や落雪の滑落による落雪現象を防止することができ、軒下の不測の事故や雨樋の損傷を未然に防ぐことができ、この際、上記取付金具体は上記落雪防止体に一体的に形成されているので、上記落雪防止体及び取付金具体を個別に取り扱うことがなく、それだけ保管並びに運搬を容易に行うことができ、かつ、取付金具体は、落雪防止体に一体に形成される構成部、上記屋根材に固定される取付部及び落雪防止体を屋根勾配方向に移動調節可能な位置調節機構を備えているから、屋根材に対する落雪防止体の設置の融通性を高めることができ、設置作業性を高めることができる。
【０００７】
また、請求項２記載の考案にあっては、上記位置調節機構は、上記落雪防止体に形成されたガイド部材と、上記取付部に設けられ、ガイド部材に対して屋根勾配方向に移動調節自在な移動部材と、ガイド部材及び移動部材を固定可能な固定機構とからなるので、位置調節機構の構造を簡素化することができると共に落雪防止体を屋根勾配方向に容易に移動調節することができ、又、請求項３記載の考案にあっては、上記固定機構はねじ機構からなるので、落雪防止体の移動調節を容易に行うことができ、又、請求項４記載の考案にあっては、上記取付部は屋根材の折込部の上面及び底面を挟着可能な挟着機構からなるので、落雪防止体を屋根材に確実に取り付けることができ、又、請求項５記載の考案にあっては、上記落雪防止体に落雪を止めるための雪止め部が突設され、雪止め部に落雪の融雪水が通過可能な網状体を配設してなるから、網状体上の雪が融けると、その融雪水は速やかに網状体の網目から落水し、融雪水の滞留を防いで融雪を促進することができると共につららの発生を抑制することができ、又、請求項６記載の考案にあっては、上記該落雪防止体の軒先側に屋根の軒先部に嵌合可能な掛止部をもつ掛止部材を設けてなるから、雨風等による落雪防止体の浮上ばたつきを抑制することができ、落雪防止体を屋根上に確実に固定することができ、落雪防止体を屋根上に確実に固定することができる。
【考案を実施するための最良の形態】
【０００８】
図１乃至図８は本考案の実施の形態例を示し、１は落雪防止体であって、建物Ｔの屋根材Ｍの軒先側上面Ｆに載置可能に形成され、この落雪防止体１の下部に落雪Ｓを止めるための雪止め部２が突設され、この雪止め部２に積雪Ｓの融水が通過可能な網状体３を配設し、落雪防止体１の下部たる軒先側に屋根材Ｍの軒先部Ｋに嵌合可能な掛止部４をもつ掛止部材５を設けて構成している。
【０００９】
６は取付金具体であって、この場合、取付金具体６は上記落雪防止体１に一体的に形成され、かつ、取付金具体６には、落雪防止体１に一体に形成される構成部７、上記屋根材Ｍに固定される取付部８及び落雪防止体１を屋根勾配方向に移動調節可能な位置調節機構９を備えて構成している。
【００１０】
この場合、上記落雪防止体１は、四角状の本体枠１０の底面に合成樹脂製の波板材１１を取付け、本体枠１０の長手方向たる屋根勾配方向に直交する方向に複数個の三角状枠体１２を間隔を置いて一体に形成し、この複数個の三角状枠体１２の上面間及び前面間並びに底面間に亀甲状に編んだ金網からなる網状体３を張架して構成している。尚、この網状体３としては、金属線材を交差させた網材や金属板材に複数個の丸穴等を散在形成した部材も含まれるものである。
【００１１】
この場合、上記位置調節機構９は、上記落雪防止体１の本体枠１０に固定形成されたガイド部材１３と、上記取付部８に設けられ、ガイド部材１３に対して屋根勾配方向に移動調節自在な移動部材１４と、ガイド部材１３及び移動部材１４を固定可能な固定機構１５により構成され、この固定機構１５はねじ機構により構成されている。
【００１２】
すなわち、この場合、上記落雪防止体１の本体枠１０にコ状のガイド部材１３を一体的に３個固定形成し、各ガイド部材１３に長尺状の移動部材を１４を屋根勾配方向に移動調節自在に嵌合し、各移動部材１４に上記取付部８を設け、かつ、上記移動部材１４に屋根勾配方向に延びる長穴１４ａを形成し、上記ガイド部材１３に挿通穴１３ａを形成し、長穴１４ａ及び挿通穴１３ａにボルト１５ａを挿通し、ボルト１５ａにナット１５ｂを螺着し、ボルト１５ａ及びナット１５ｂからなるねじ機構により落雪防止体１を屋根勾配方向に移動調節固定自在に設けて構成している。
【００１３】
又、この場合、上記取付部８は屋根材Ｍの折込部Ｎの上面及び底面を挟着可能な挟着機構１６からなり、この場合、挟着機構１６は、図３、図７の如く、屋根材Ｍの折込部Ｎの底面に当接可能な底部材１６ａと屋根材Ｍの折込部Ｎの上面に当接可能な上部材１６ｂとを止軸１６ｃ及びヒンジ部１６ｄにより連結してなり、取付部８、底部材１６ａ及び上部材１６ｂに締付ボルト１６ｅを挿通すると共に締付ボルト１６ｅに締付ナット１６ｆを螺着し、締付ボルト１６ｅ及び締付ナット１６ｆの弛緩緊締により屋根材Ｍの折込部Ｎの上面及び底面を挟着して移動部材１４を屋根材Ｍに取り付ける構造となっている。
【００１４】
この実施の形態例は上記構成であるから、図６の如く、落雪防止体１を屋根材Ｍの軒先側上面Ｆに取付金具体６により配置固定し、積雪Ｓは落雪防止体１により止まることになり、このため、屋根材Ｍ上の積雪や落雪Ｓの滑落による落雪現象を防止することができ、軒下の不測の事故や雨樋の損傷を未然に防ぐことができ、この際、上記取付金具体６は上記落雪防止体１に一体的に形成されているので、記落雪防止体１及び取付金具体６を個別に取り扱うことがなく、それだけ保管並びに運搬を容易に行うことができ、かつ、取付金具体６は、落雪防止体１に一体に形成される構成部７、上記屋根材Ｍに固定される取付部８及び落雪防止体１を屋根勾配方向に移動調節可能な位置調節機構９を備えているから、屋根材Ｍに対する落雪防止体１の設置の融通性を高めることができ、設置作業性を高めることができる。
【００１５】
この場合、上記位置調節機構９は、上記落雪防止体１に形成されたガイド部材１３と、上記取付部８に設けられ、ガイド部材１３に対して屋根勾配方向に移動調節自在な移動部材１４と、ガイド部材１３及び移動部材１４を固定可能な固定機構１５とからなるので、位置調節機構９の構造を簡素化することができると共に落雪防止体１を屋根勾配方向に容易に移動調節することができ、又、この場合、上記固定機構１５はねじ機構からなるので、落雪防止体１の移動調節を容易に行うことができ、又、この場合、上記取付部８は屋根材Ｍの折込部Ｎの上面及び底面を挟着可能な挟着機構１６からなるので、落雪防止体１を屋根材Ｍに確実に取り付けることができ、又、この場合、上記落雪防止体１に落雪を止めるための雪止め部２が突設され、雪止め部２に落雪Ｓの融雪水が通過可能な網状体３を配設してなるから、網状体３上の雪Ｓが融けると、その融雪水は速やかに網状体３の網目から落水し、融雪水の滞留を防いで融雪を促進することができると共につららの発生を抑制することができ、又、この場合、上記該落雪防止体１の軒先側に屋根の軒先部Ｋに嵌合可能な掛止部４をもつ掛止部材５を設けてなるから、雨風等による落雪防止体１の浮上ばたつきを抑制することができ、落雪防止体１を屋根上に確実に固定することができ、落雪防止体１を屋根上に確実に固定することができる。
【００１６】
尚、本考案は上記実施の形態例に限られるものではなく、落雪防止体１、雪止め部２、網状体３、掛止部４、掛止部材５、構成部７、取付部８、位置調節機構９、ガイド部材１３、移動部材１４、固定機構１５、挟着機構１６大きさや形態、構造等は適宜設計して変更されるものである。
【００１７】
以上、所期の目的を充分達成することができる。
【図面の簡単な説明】
【００１８】
【図１】本考案の実施の形態例の全体斜視図である。
【図２】本考案の実施の形態例の部分分離斜視図である。
【図３】本考案の実施の形態例の部分拡大断面図である。
【図４】本考案の実施の形態例の部分横断面図である。
【図５】本考案の実施の形態例の部分斜視図である。
【図６】本考案の実施の形態例の使用状態の断面図である。
【図７】本考案の実施の形態例の使用状態の部分断面図である。
【図８】本考案の実施の形態例の使用状態の部分平面図である。
【符号の説明】
【００１９】
Ｍ    屋根材
Ｆ    軒先側上面
Ｓ    雪
Ｋ    軒先部
Ｎ    折込部
１    落雪防止体
２    雪止め部
３    網状体
４    掛止部
５    掛止部材
６    取付金具体
７    構成部
８    取付部
９    位置調節機構
１３    ガイド部材
１４    移動部材
１５    固定機構
１６    挟着機構
【図１】
0003146840.tif 000003
【図２】
0003146840.tif 000004
【図３】
0003146840.tif 000005
【図４】
0003146840.tif 000006
【図５】
0003146840.tif 000007
【図６】
0003146840.tif 000008
【図７】
0003146840.tif 000009
【図８】
0003146840.tif 000010